(57)【要約】【課題】並べたシートの端部を突き合わせた状態で床に接着する施工時間の短縮【解決手段】  床７にシート８を並べて敷いてシートの端部同士を重ね合わせる工程と、重ねあわせた端部同士を捲って接着剤９を床に塗り広げる工程と、床に重ね合わせたシートの端部同士の縁部１３を切断工具１４で切る工程と、切り離したシートの縁部を取り除いて下側の縁部の裏面に付いた接着剤が床から剥がれる工程と、シートの端部を捲りつつ剥がれた箇所に接着剤を再度塗る工程と、捲った端部を戻してシートの端部同士を突き合わせる仕上げ工程を順次行う床用シートの施工方法。接着剤を充填するボトルのノズルの外側に着脱可能な筒状の取付部を備え、取付部の口径を横長に拡径した幅広吐出部を取付部の一端に連続したものであって、幅広吐出部の先端をジグザグに形成してある、接着剤ボトル用アタッチメント。【選択図】      図２
2009030349.tif 000002
【特許請求の範囲】
【請求項１】
床（７）にシート（８）を並べて敷いてシート（８）の端部同士を重ね合わせる重ね合わせ工程と、重ね合わせた端部同士を捲って接着剤（９）を床（７）に塗り広げる接着工程と、床（７）に重ね合わせたシート（８）の端部同士の縁部（１３）を切断工具（１４）で切る縁部切断工程と、切り離したシート（８）の縁部（１３）を取り除いて下側の縁部（１３）の裏面に付いた接着剤（９）が床（７）から剥がれる縁部除去工程と、シート（８）の端部を捲りつつ剥がれた箇所に接着剤（９）を再度塗る再接着工程と、捲った端部を戻してシート（８）の端部同士を突き合わせる仕上げ工程を順次行うことを特徴とする床用シートの施工方法。
【請求項２】
再接着工程において、接着剤（９）を塗る道具として、接着剤（９）の入ったボトル（１）のノズル（２）に、ノズル（２）の口径を入口側から出口側に向かって逆Ｔ字状に拡大するアタッチメント（４）を取り付けたものを用いることを特徴とする請求項１記載の床用シートの施工方法。
【請求項３】
接着剤（９）を充填するボトル（１）のノズル（２）の外側に着脱可能な筒状の取付部（５）を備え、取付部（５）の口径を横長に拡径した幅広吐出部（６）を取付部（５）の一端に連続したものであって、幅広吐出部（６）の先端をジグザグに形成してあることを特徴とする接着剤ボトル用アタッチメント。
【発明の詳細な説明】
【技術分野】
【０００１】
本発明は、床面に敷き並べたシートの端部同士を突き合わせて、恰も一枚物のシートのように接着する施工方法、および接着剤の入ったボトルのノズルに付けるアタッチメントに関する。
【背景技術】
【０００２】
床にシートを敷き並べ、隣り合うシートの端部同士の隙間をなくして床に接着する場合、従来の施工方法は、図４に示すように、まず、並べたシート９１の端部以外を接着しておき、シートの端部同士を重ね合わせる。重ね合わせ部分の幅中間箇所をカッター９２で切断し、切り離された双方のシートの縁部９３を取り除く。その後、双方のシートの突き合わさった端部を捲り、缶に入った接着剤をヘラ９４ですくって床面に取り出し、ヘラを動かして波状に凸凹した先端部で接着剤９５を床面にまんべんなく薄く塗り広げる。続いて、捲ったシートの端部を離し、シートの端部の上をこすってシートを床面に接着していた。
【０００３】
ところが、接着剤の量を少なくすると、敷いたシートが剥がれることになる。一方、接着剤の量を多くすると、突き合わせて敷いたシートの端部同士の間から接着剤が溢れ出て、拭き取らなければならず、作業に時間がかかる。マンション等では縦幅等が４〜５ｍ以上ある床の施工は頻繁に行なわれる。ヘラで接着剤を薄く均一に塗り広げる作業を４〜５ｍも長い距離続けることは、かなり難しく、所々で接着剤の量が多くなることは予想されることである。
【０００４】
本出願人は、出願に先立って特許調査を行ったところ、この技術分野では、シートの端部同士の間に目地を形成する施工方法について多数の出願を発見できたが（特許文献１、特許文献２）、シート端部同士を突き合わせる施工方法については先行出願を発見できなかった。
【特許文献１】特開平９−１２５６６６号公報
【特許文献２】特開平９−９６０９３号公報
【発明の開示】
【発明が解決しようとする課題】
【０００５】
本発明は上記実情を考慮して創作されたもので、その解決課題は、並べたシートの端部を突き合わせた状態で床に接着する施工時間を短縮することである。
【課題を解決するための手段】
【０００６】
本発明は、床にシートを並べて敷いてシートの端部同士を重ね合わせる重ね合わせ工程と、重ねあわせた端部同士を捲って接着剤を床に塗り広げる接着工程と、床に重ね合わせたシートの端部同士の縁部を切断工具で切る切断工程と、切り離したシートの縁部を取り除いて下側の縁部の裏面に付いた接着剤が床から剥がれる縁部除去工程と、シートの端部を捲って接着剤を剥がれた箇所に再度塗る再接着工程と、捲った端部を戻してシートの端部同士を突き合わせる仕上げ工程を順次行うものである。
【０００７】
再接着工程は、ヘラで缶から接着剤をすくい取る手法を用いても良いが、迅速にするには、次のような専用具を使うことが望ましい。
即ち、再接着工程において、接着剤を塗る道具として、接着剤の入ったボトルのノズルに、ノズルの口径を入口側から出口側に向かって逆Ｔ字状に拡大するアタッチメントを取り付けたものを用いることである。
【０００８】
専用具としては、次の接着剤ボトル用アタッチメントを用いる。
即ち、接着剤を充填するボトルのノズルの外側に着脱可能な筒状の取付部を備え、取付部の口径を横長に拡径した幅広吐出部を取付部の一端に連続したものであって、幅広吐出部の先端をジグザグに形成してあるものである。
【発明の効果】
【０００９】
本発明の施工方法は、重ね合わせた端部同士を捲って床に接着剤を塗り広げる接着工程を、縁部切断工程の前に行うので、接着剤の量が多少余分であっても、捲った端部を元に戻して敷いたときにシートの端部同士が重なり合って隙間ができるので、その隙間に接着剤が入り込み、溢れ出ることがない。また、シートの縁部を切り離して取り除くと、接着剤は、取り除いた下側の縁部に付き、床から剥がれるので、隙間に入り込んだ余分な量が剥がれた範囲に移動することから、やはり溢れ出ることはない。さらに、下側の縁部を取り除いたときに接着剤の剥がれた範囲は、シートの端部同士を貼る範囲に比べれば狭いので、剥がれた分だけ再度、接着剤を薄くならして塗る作業は容易である。以上より、接着剤を塗る量を接着工程で大まかに行っても、再接着工程で接着剤の量を適切に修正できることから、接着作業が全体として短時間で行え、その結果、施工時間を短縮できる。
【００１０】
また、アタッチメントを用いれば、ノズルの口径を幅広にすることから、接着剤が剥がれた範囲に再度、接着剤を塗るのに適しており、施工時間を短縮できる。
【００１１】
さらに、幅広吐出部の先端をジグザグにしたものを用いれば、先端を床に押付けたままボトルを押せば、ジグザグの隙間から床に接着剤が塗布され、また、先端で接着剤をならすこともでき、施工時間を一段と短縮できる。
【発明を実施するための最良の形態】
【００１２】
接着剤９を入れるボトル１は図３に示すように、手で握ると変形する合成樹脂製品の筒状容器であって、糊状の接着剤９を吐き出すノズル２を容器本体３に比べて細い筒状に形成してある。
【００１３】
接着剤ボトル用アタッチメント４は合成樹脂製品で、図３に示すように、接着剤９の入口側から出口側に向かって内部に逆Ｔ字状の流路を備えるものであって、円筒状の取付部５と、取付部５の一端から連続して口径を横長に拡径した幅広吐出部６とから構成してある。
【００１４】
取付部５は、ボトル１のノズル２に着脱可能なもので、ノズル２の外側に押し込んで嵌め合わせることによってアタッチメント４を取り付ける。
【００１５】
幅広吐出部６は、取付部５の一端（図の下端）から徐々に口径を幅広くした拡径部分６ａと、拡径部分６ａの他端から幅広の同一口径で延長する延長部分６ｂとから構成してある。延長部分６ｂの先端は、幅広方向に沿って波状というかジクザグに形成してあり、ジグザグの凸部を床７に押付けたときに凹部に隙間が出来、隙間から接着剤９が吐出するものである。
【００１６】
上述した接着剤ボトル用アタッチメント４を利用した床用シートの施工方法は、図１〜図２に示すように、重ね合わせ、接着、縁部切断、縁部除去、再接着、仕上げの各工程から構成される。
【００１７】
まず、図１（イ）に示すように、基礎コンクリートで作られた床７の上に、クッション性のある柔軟な合成樹脂製のシート８を敷き並べて、隣り合うシート８の端部同士を重ね合わせ、シート８の端部以外を床７に接着する重ね合わせ工程を行う。
【００１８】
次に、図１（ロ）、（ハ）に示すように、シート８の端部を捲り足の裏で押さえる等したまま、缶に入った糊状の接着剤９をヘラ１１ですくって床７に撒き、ヘラ１１のジグザグ状の先端を使って均一な厚みに塗り広げる接着工程を行う。この接着工程と同様の手法で、シート８の端部以外も接着する。
【００１９】
その後、捲っていたシート８の端部を離すと、図１（ニ）に示すように、シート８の端部同士が重なり合って敷かれた形態に戻る。接着剤９の量が多少余分であっても重なり合う端部同士と床７の間に断面三角形の狭い隙間１２ができ、その隙間１２は余分な接着剤９が流れ込む空間となる。重なり合う全幅の半分程度を目安として図示しない物差しを当て、双方のシート８の縁部１３を切断工具１４（カッター）で物差しに沿って一挙に切断する縁部切断工程を行う。この結果、切り離したシート８の縁部１３は、上側のものと、下側のもの、合計二枚ができる。
【００２０】
続いて、図１（ホ）、図２（ヘ）、（ト）に示すように、切り離した二枚の縁部１３のうち上側を取り去り、下側の上に重なったシート８の端部を捲って、下側を取り去る縁部除去工程を行う。すると、接着剤９は、取り去った下側の裏面に付いており、取り去った範囲のみ床７からその大半が剥がれて、一枚のシート８の端部が接着に不十分な状態となる。
【００２１】
その後、図２（チ）に示すように、剥がれた方（図の右側）のシート８の端部のみを捲って、アタッチメント４を付けたボトル１を使い、剥がれた箇所に幅広吐出部６を押し当てつつ容器本体３を押し潰して接着剤９を押し出し、幅広吐出部６のジグザク状の先端で接着剤９をならして薄く塗り広げ、補修する再接着工程を行う。
【００２２】
最後に、図２（リ）に示すように、捲った端部を戻して床７に敷いたままシート８の端部同士を突き合わせる仕上げ工程を行う。なお、この後に、シート８の表面をこすって端部を床７に充分に接着することも可能である。
【図面の簡単な説明】
【００２３】
【図１】（イ）〜（ホ）図は床用シートの施工方法の前半部分を示す作業工程図である。
【図２】（ヘ）〜（リ）図は床用シートの施工方法の後半部分を示す作業工程図である。
【図３】接着剤ボトル用アタッチメントを示す斜視図である。
【図４】（イ）〜（へ）図は従来の床用シートの施工方法を示す作業工程図である。
【符号の説明】
【００２４】
１ボトル、２ノズル、３容器本体、４アタッチメント、５取付部、６幅広吐出部、
６ａ拡径部分、６ｂ延長部分、７床、８シート、９接着剤、１１ヘラ、１２隙間、
１３縁部、１４切断工具
【図１】
2009030349.tif 000003
【図２】
2009030349.tif 000004
【図３】
2009030349.tif 000005
【図４】
2009030349.tif 000006